(57)【要約】【課題】モジュールリンクを相互に連結している連結ピンを強固に抜け止めして摩耗粉、破損片の発生を防止でき、優れたベルト耐久性を発揮でき、保守メンテナンスなどの簡便な取り扱いができるコンベヤベルトを提供すること。【解決手段】連結ピン１２０で多数連結するモジュールリンク１１０のベルト幅方向側端部に設けられたスリット状装入溝１１２にピン抜け止めアタッチメント１３０を挿入してなるコンベヤベルト１００において、前記モジュールリンク１１０のスリット状装入溝１１２が幅広のピン対向溝部１１２ａと幅狭の係止用溝部１１２ｂとで構成され、前記ピン抜け止めアタッチメント１３０が、前記係止用溝部１１２ｂ内で拡開して係止する肉薄のスナップ係止片１３１と前記ピン対向溝部１１２ａ内で連結ピン１２０を抜け止めする肉厚の連結ピン制止片１３２とで一体成形されていること。【選択図】    図１
2004262600.tif 000002
【特許請求の範囲】
【請求項１】
連結ピン挿通孔を有する複数のボス部がリンク前端およびリンク後端に千鳥状に設けられた合成樹脂製のモジュールリンクを相互に連結ピンでベルト長手方向に多数連結するとともに、前記モジュールリンクのベルト幅方向側端部にベルト長手方向のスリット状装入溝を設けて前記連結ピンを抜け止めするピン抜け止めアタッチメントをリンク裏面から着脱自在に挿入してなるコンベヤベルトにおいて、
前記モジュールリンクのスリット状装入溝が、前記連結ピン挿通孔に対向して開口する幅広のピン対向溝部と該ピン対向溝部に連通して開口する幅狭の係止用溝部とで構成され、
前記ピン抜け止めアタッチメントが、前記係止用溝部内で拡開して係止する肉薄のスナップ係止片と前記ピン対向溝部内で連結ピンを抜け止めする肉厚の連結ピン制止片とで一体成形されていることを特徴とするコンベヤベルト。
【請求項２】
前記ピン抜け止めアタッチメントが、強化フィラーを含有した合成樹脂であることを特徴とする請求項１記載のコンベヤベルト。
【発明の詳細な説明】
【０００１】
【発明の属する技術分野】
本発明は、合成樹脂製のモジュールリンクを連結ピンで無端状に多数編成してなる搬送ベルト面上に各種の搬送物品を搭載して搬送するコンベヤベルトに関するものである。
【０００２】
【従来の技術】
従来のコンベヤベルトは、図５乃至図７に示すように、夫々のモジュール２Ａ、２Ｂの巾方向端部にベルト長さ方向のスリット状装入溝６を設け、該スリット状装入溝６内に連結ピン挿通孔８の連結ピン端挿通阻止薄片７をモジュール厚さ方向へ装脱可能にするとともに、該連結ピン端挿通阻止薄片７に装脱案内部７Ａとスリット状装入溝６内においてスリット長手方向に屈撓する連結ピン挿通孔８内に進入する連結ピン端挿通阻止片７Ｃおよび前記スリット状装入溝６内においてスリット長手方向に屈撓するスナップ係止片７Ｂとを設け、前記スリット状装入溝６内にスリット長手方向に屈撓して連結ピン端挿通阻止薄片６が係止保持されるスナップ舌片６Ｂを設けたことによって、複数のモジュールを長さ方向並びに巾方向に連結ピン３で連接連結してベルトの増長並びに拡巾を可能にして連結ピン３を抜け止めしている（例えば、特許文献１を参照）。
【０００３】
【特許文献１】
実用新案登録第２５５１１５０号公報（第１−３頁、図１−図３）
【０００４】
【発明が解決しようとする課題】
ところが、従来のコンベヤベルトは、高温高荷重などの苛酷な搬送作業環境下においてコンベヤ全体に変形歪みが発生しやすく、このような変形歪みが発生すると、金属製の連結ピン３がベルト幅方向の片側に寄り付き易く、合成樹脂からなるモジュールとの間で頻繁な接触摩耗を繰り返して摩耗粉を散乱させ、軈ては、連結ピン３が連結ピン端挿通阻止薄片７のスナップ係止片７Ｂや連結ピン端挿通阻止片７Ｃを破損させる。
その結果、連結ピン３がベルト側方に飛び出すと、搬送ガイドなどに接触して搬送障害を招いたり、連結ピン３による連結状態が不十分となりコンベヤベルト自体の破断を誘発してベルト耐久性を著しく低下させるため、連結ピン端挿通阻止薄片７の摩耗、破損、脱落などを定期点検して頻繁に交換保守しなければならないという厄介な保守メンテナンス上の問題がある。
さらに、このような摩耗粉、破損片によって作業環境のクリーン度を著しく悪化させるという作業環境上の問題があるばかりでなく、スナップ係止片７Ｂや連結ピン端挿通阻止片７Ｃを破損させた連結ピン端挿通阻止薄片７がスリット状装入溝６から脱落すると、例えば、食品加工分野などにおける異物混入の一因となるという衛生上の問題があった。
【０００５】
そこで、本発明の目的は、前述したような従来技術の問題点を解消するものであって、モジュールリンクを相互に連結している連結ピンを強固に抜け止めして摩耗粉、破損片の発生を防止することができるとともに、優れたベルト耐久性を発揮することができ、保守メンテナンスなどの簡便な取り扱いを達成することができるコンベヤベルトを提供することである。
【０００６】
【課題を解決するための手段】
本請求項１に係る発明は、連結ピン挿通孔を有する複数のボス部がリンク前端およびリンク後端に千鳥状に設けられた合成樹脂製のモジュールリンクを相互に連結ピンでベルト長手方向に多数連結するとともに、前記モジュールリンクのベルト幅方向側端部にベルト長手方向のスリット状装入溝を設けて前記連結ピンを抜け止めするピン抜け止めアタッチメントをリンク裏面から着脱自在に挿入してなるコンベヤベルトにおいて、前記モジュールリンクのスリット状装入溝が、前記連結ピン挿通孔に対向して開口する幅広のピン対向溝部と該ピン対向溝部に連通して開口する幅狭の係止用溝部とで構成され、前記ピン抜け止めアタッチメントが、前記係止用溝部内で拡開して係止する肉薄のスナップ係止片と前記ピン対向溝部内で連結ピンを抜け止めする肉厚の連結ピン制止片とで一体成形されていることによって、上述した課題を解決した。
【０００７】
本請求項２に係る発明は、上述した請求項１に係る発明の構成に加えて、前記ピン抜け止めアタッチメントが強化フィラーを含有した合成樹脂であることにより、上述した課題をさらに一段と解決した。
【０００８】
ここで、本発明におけるモジュールリンクの連結形態については、モジュールリンクを相互に連結ピンでベルト長手方向に多数連結して搬送ベルト面上に各種の搬送物品を搭載して搬送することが可能であれば、如何なる連結形態であっても良い。すなわち、本発明では、連結ピン挿通孔を有する複数のボス部がリンク前端およびリンク後端に千鳥状に設けられたモジュールリンクをベルト長手方向のみに指組状に多数連結して搬送ベルト面を形成するか、あるいは、モジュールリンクをベルト長手方向およびベルト幅方向に多数編成して幅広の搬送ベルト面を形成するなど何れの連結形態であっても構わない。
【０００９】
そして、前述したモジュールリンクに形成されるスリット状装入溝は、モジュールリンクをベルト長手方向のみに連結する場合には、モジュールリンクのベルト幅方向両側端部に設ける必要があるが、モジュールリンクをベルト長手方向およびベルト幅方向に多数編成して幅広の搬送ベルト面を形成する場合には、ベルト幅方向の最も外側に配置されたモジュールリンクのベルト幅方向側端部のみに設ければ良い。
【００１０】
また、前述したモジュールリンクの裏面形態については、コンベヤ駆動側およびコンベヤ従動側のスプロケットと噛み合うことが可能であれば如何なる裏面形態であっても差し支えない。
すなわち、本発明のモジュールリンクは、リンク前端に配置されたボス部とリンク後端に千鳥状に配置されたボス部との間にベルト走行方向に沿ってオフセット状態で延設された多数の縦リブを備え、ボス部とオフセットされた縦リブとで囲繞してスプロケットの歯を噛み込む噛み合い凹部がリンク裏面側でベルト幅方向に亙って配列形成されているような裏面形態を備えていても良く、また、リンク前端に配置されたボス部とリンク後端に配置されたボス部との間にベルト走行方向に沿って平行に延設した多数の縦リブを備えるとともに、前記モジュールリンクのベルト走行方向と直交するベルト幅方向で隣り合う前記縦リブの相互間に連設した多数の横リブを備え、縦リブと横リブとボス部とで囲繞してスプロケットの歯を噛み込む噛み合い凹部がリンク裏面側でベルト幅方向に亙って配列形成されているような裏面形態を備えている場合には、モジュールリンク全体が横リブ、縦リブおよびボス部によって補強されて駆動側スプロケットおよび従動側スプロケットの引張荷重を受けても搬送ベルト面に凹凸を生じることなく安定した搬送を達成することができる。
【００１１】
【作用】
本発明のコンベヤベルトは、連結ピン挿通孔を有する複数のボス部がリンク前端およびリンク後端に千鳥状に設けられた合成樹脂製のモジュールリンクを相互に連結ピンでベルト長手方向に多数連結するとともに、前記モジュールリンクのベルト幅方向側端部にベルト長手方向のスリット状装入溝を設けて前記連結ピンを抜け止めするピン抜け止めアタッチメントをリンク裏面から着脱自在に挿入したことによって、物品搬送時に多数のモジュールリンクで構成された搬送ベルト面上に各種の搬送物品を搭載して円滑に搬送するとともに、保守メンテナンス時にモジュールリンクのリンク裏面からピン抜け止めアタッチメントを着脱することによって相互に連結されているモジュールリンクを分解して必要に応じて部品交換する。
【００１２】
特に、本請求項１に係る発明のコンベヤベルトは、モジュールリンクのスリット状装入溝が幅広のピン対向溝部と幅狭の係止用溝部とで構成されているとともに、前記ピン抜け止めアタッチメントが肉薄のスナップ係止片と肉厚の連結ピン制止片とで一体成形されていることによって、モジュールリンクのスリット状装入溝内にピン抜け止めアタッチメントを挿入した場合に、ピン抜け止めアタッチメントのスナップ係止片が幅狭の係止用溝部に対応して肉薄に形成されているとともに連結ピンに接触しない位置に配置されているため、スリット状装入溝の係止用溝部内で容易に拡開して意図的に抜き取らない限りにおいて係止用溝部内に係止された挿入状態を確実に維持して連結ピンの端部との接触を回避する。
同時に、ピン抜け止めアタッチメントの連結ピン制止片が幅広のピン対向溝部に対応して肉厚に形成されているとともに連結ピンに対して充分な接触面積を確保しているため、スリット状装入溝のピン対向溝部内で連結ピンの端部を確実に受け止めて抜け止めし、ベルト側方への飛び出しを阻止する。
【００１３】
そして、本請求項２に係る発明のコンベヤベルトは、本請求項１に係る発明のコンベヤベルトが奏する作用に加えて、前記ピン抜け止めアタッチメントが強化フィラーを含有した合成樹脂であることによって、アタッチメント材質自体が強化されるため、高温高荷重などの苛酷な搬送作業環境下であってもスナップ係止片に熱収縮や熱変形などの歪みが生じにくく、長期に亙ってスナップ力を維持して脱落する恐れがないので、スナップ係止片と一体に成形されて連結ピンのベルト幅方向への片寄りを抑制している連結ピン制止片を有効に機能させて円滑な連結状態を維持する。
【００１４】
【本発明の実施の形態】
以下、本発明のコンベヤベルトの好ましい実施の形態である一実施例を図面に基づいて説明する。ここで、図１は、本発明の一実施例であるコンベヤベルトの組み立て図であり、図２は、図１に示すコンベヤベルトを要部拡大図であり、図３は、図１に示すコンベヤベルトを一部拡大した裏面図であり、図４は、図３のＸ−Ｘ線で矢視した縦断面図である。
【００１５】
まず、本発明の一実施例であるコンベヤベルト１００は、図１乃至図２に示すように、連結ピン挿通孔１１１ａを有する複数のボス部１１１がリンク前端およびリンク後端に千鳥状に設けられた合成樹脂製のモジュールリンク１１０を相互に指組状態で金属製の連結ピン１２０を用いてベルト長手方向のみに多数連結するとともに、このモジュールリンク１１０のベルト幅方向両側端部にベルト長手方向のスリット状装入溝１１２、１１２を設けて金属製の連結ピン１２０を抜け止めするピン抜け止めアタッチメント１３０、１３０をリンク裏面から着脱自在に挿入して構成されている。
【００１６】
ここで、本実施例のコンベヤベルト１００に採用したモジュールリンク１１０は、図３に示すように、リンク前端に配置されたボス部１１１とリンク後端に配置されたボス部１１１との間にベルト走行方向に沿って平行に延設した多数の縦リブ１１３を備えるとともに、ベルト走行方向と直交するベルト幅方向で隣り合う前記縦リブ１１３の相互間に連設した多数の横リブ１１４を備え、縦リブ１１３と横リブ１１４とボス部１１１とで囲繞してスプロケットの歯を噛み込む噛み合い凹部１１５がリンク裏面側でベルト幅方向に亙って配列形成された裏面形態を備えており、モジュールリンク全体が横リブ１１４、縦リブ１１３およびボス部１１１によって補強されて駆動側スプロケットおよび従動側スプロケットの引張荷重を受けても搬送ベルト面に凹凸を生じることなく安定した搬送を達成することができるようになっている。
【００１７】
そして、前記モジュールリンク１１０のベルト幅方向側端部にベルト長手方向に指向して形成されるスリット状装入溝１１２は、連結ピン挿通孔１１１ａに対向して開口する幅広Ｔのピン対向溝部１１２ａとこのピン対向溝部１１２ａに連通して開口する幅狭ｔの係止用溝部１１２ｂとで構成されている。
前記スリット状装入溝１１２は、ピン対向溝部１１２ａと係止用溝部１１２ｂとの間で溝幅を変えて段差状に形成しているため、このスリット状装入溝１１２内に挿入するピン抜け止めアタッチメント１３０の挿入位置を確実に位置決めすることができる。
【００１８】
他方、前記モジュールリンク１１０のベルト幅方向側端部に挿入されるピン抜け止めアタッチメント１３０は、前述した係止用溝部１１２ｂ内で容易に拡開して係止する肉薄ｔのスナップ係止片１３１と前述したピン対向溝部１１２ａ内で連結ピン１２０を抜け止めする肉厚Ｔの連結ピン制止片１３２とで一体成形されている。
したがって、前記ピン抜け止めアタッチメント１３０は、取り扱いの簡便なスナップ力を発揮するスナップ係止片１３１と連結ピン１２０を堅固に抜け止めする連結ピン制止片１３２とで連結ピン１２０の抜け止め機能を明確に分担することができるので、長期に亙って部品寿命を確保することができ、しかも、スナップ係止片１３１と連結ピン制止片１３２との間に段差が形成されているので、前述した段差状に開口しているスリット状装入溝１１２と協動してベルト長手方向のガタツキを解消することができ、スリット状装入溝１１２から抜け止め効果を一段と高めることができる。
【００１９】
さらに、前記スナップ係止片１３１は、係止用溝部１１２ｂ内に挿入する方向に突出した一対のスナップ腕部１３１ａ、１３１ａを備えており、該一対のスナップ腕部１３１ａ、１３１ａを弾性変形させて挟窄しながら係止用溝部１１２ｂ内へ挿入した後、係止用溝部１１２ｂ内で拡開させることによって係止するようになっている。
また、一対のスナップ腕部１３１ａ、１３１ａの相互間には、「ぬすみ」と称する凹欠部１３１ｂが切欠形成されており、一対のスナップ腕部１３１ａ、１３１ａが係止用溝部１１２ｂ内にスナップ係合するためのスリット長手方向のスプリングバックを容易にしている。
【００２０】
また、本実施例では、前記ピン抜け止めアタッチメント１３０が、所謂、強化フィラーと称するガラス繊維、炭素繊維などを含有した合成樹脂によって成形加工されているため、アタッチメント材質自体が強化されるため、高温高荷重などの苛酷な搬送作業環境下であってもスナップ係止片に熱収縮や熱変形などの歪みが生じにくく、長期に亙ってスナップ力を維持して脱落する恐れがないので、スナップ係止片１３１と一体に成形されて連結ピン１２０のベルト幅方向への片寄りを抑制している連結ピン制止片１３２を有効に機能させて円滑な連結状態を維持するので、より一段と優れた耐久性を実現することができるようになっている。
【００２１】
このようにして得られた本実施例のコンベヤベルト１００は、モジュールリンク１１０のベルト幅方向側端部にベルト長手方向のスリット状装入溝１１２を設けて連結ピン１２０を抜け止めするピン抜け止めアタッチメント１３０をリンク裏面から着脱自在に挿入したことによって、物品搬送時に多数のモジュールリンク１１０で構成された搬送ベルト面上に各種の搬送物品を搭載して円滑に搬送するとともに、保守メンテナンス時にモジュールリンク１１０のリンク裏面からピン抜け止めアタッチメント１３０を着脱することにより相互に連結されているモジュールリンク１１０を分解して必要に応じて部品交換することができる。
しかも、本実施例のコンベヤベルト１００は、モジュールリンク全体が横リブ１１４、縦リブ１１３およびボス部１１１によって補強されて駆動側スプロケットおよび従動側スプロケットの引張荷重を受けても搬送ベルト面に凹凸を生じることなく安定した搬送を達成することができる。
【００２２】
そして、モジュールリンク１１０のスリット状装入溝１１２が幅広Ｔのピン対向溝部１１２ａと幅狭ｔの係止用溝部１１２ｂとで構成されているとともに、前記ピン抜け止めアタッチメント１３０が肉薄ｔのスナップ係止片１３１と肉厚Ｔの連結ピン制止片１３２とで一体成形されていることによって、モジュールリンク１１０のスリット状装入溝１１２内にピン抜け止めアタッチメント１３０を挿入した場合に、ピン抜け止めアタッチメント１３０のスナップ係止片１３１が幅狭ｔの係止用溝部１１２ｂに対応して肉薄ｔに形成されているとともに連結ピン１２０に接触しない位置に配置されているため、スリット状装入溝１１２の係止用溝部１１２ｂ内で容易に弾性変形して意図的に抜き取らない限りにおいて係止用溝部１１２ｂ内に係止された挿入状態を確実に維持して連結ピン１２０の端部との接触を回避することができる。
同時に、ピン抜け止めアタッチメント１３０の連結ピン制止片１３２が幅広Ｔのピン対向溝部１１２ａに対応して肉厚Ｔに形成されているとともに連結ピン１２０に対して充分な接触面積を確保しているため、スリット状装入溝１１２のピン対向溝部１１２ａ内で連結ピン１２０の端部を確実に受け止めて抜け止めし、ベルト側方への飛び出しを阻止することができる。
【００２３】
したがって、本実施例のコンベヤベルト１００は、物品搬送時に駆動側スプロケットおよび従動側スプロケットから過度の引張荷重を受けても搬送ベルト面に凹凸を生じることなく安定した搬送を達成することができ、また、アタッチメント材質自体が強化されるため、高温高荷重などの苛酷な搬送作業環境下であってもスナップ係止片に熱収縮や熱変形などの歪みが生じにくく、長期に亙ってスナップ力を維持して脱落する恐れがないので、スナップ係止片１３１と一体に成形されて連結ピン１２０のベルト幅方向への片寄りを抑制している連結ピン制止片１３２を有効に機能させるので、モジュールリンク１１０を相互に連結している連結ピン１２０を強固に抜け止めして摩耗粉、破損片の発生を防止することができるとともに、優れたベルト耐久性を発揮することができ、保守メンテナンスなどの簡便な取り扱いを達成することができるなど、その効果は甚大である。
【００２４】
【発明の効果】
本発明では、連結ピン挿通孔を有する複数のボス部がリンク前端およびリンク後端に千鳥状に設けられた合成樹脂製のモジュールリンクを相互に連結ピンでベルト長手方向に多数連結するとともに、前記モジュールリンクのスリット状装入溝内にピン抜け止めアタッチメントをリンク裏面から着脱自在に挿入するように構成したことによって、物品搬送時に多数のモジュールリンクで構成された搬送ベルト面上に各種の搬送物品を搭載して円滑に搬送することができ、また、保守メンテナンス時にモジュールリンクのリンク裏面からピン抜け止めアタッチメントを着脱してモジュールリンクを分解して簡便に部品交換することができるばかりでなく、特に、以下のような本発明に特有の効果を奏することができる。
【００２５】
特に、本請求項１に係る発明のコンベヤベルトは、モジュールリンクのスリット状装入溝が幅広のピン対向溝部と幅狭の係止用溝部とで構成されているとともに、前記ピン抜け止めアタッチメントが肉薄のスナップ係止片と肉厚の連結ピン制止片とで一体成形されていることによって、モジュールリンクのスリット状装入溝内にピン抜け止めアタッチメントを挿入した場合に、ピン抜け止めアタッチメントのスナップ係止片が幅狭の係止用溝部に対応して肉薄に形成されているとともに連結ピンに接触しない位置に配置されているため、スリット状装入溝の係止用溝部内で容易に拡開して意図的に抜き取らない限りにおいて係止用溝部内に係止された挿入状態を確実に維持して不用意に脱落することもなく保守メンテナンスなどの簡便な取り扱いを達成することができる。
【００２６】
そして、ピン抜け止めアタッチメントの連結ピン制止片は、幅広のピン対向溝部に対応して肉厚に形成されているため、スリット状装入溝のピン対向溝部内で連結ピンの端部を確実かつ強固に受け止めて抜け止めし、従来のような連結ピンの飛び出しに起因する搬送ガイドなどとの接触による搬送障害を回避することができ、しかも、摩耗粉、破損片の発生を防止して作業環境のクリーン度を維持することができるとともに、食品加工分野などにおいて重要視される異物混入を回避した衛生的な搬送を達成することができる。
【００２７】
そして、本請求項２に係る発明のコンベヤベルトは、本請求項１に係る発明のコンベヤベルトが奏する作用に加えて、前記ピン抜け止めアタッチメントが強化フィラーを含有した合成樹脂であることにより、アタッチメント材質自体が強化されるため、高温高荷重などの苛酷な搬送作業環境下であってもスナップ係止片に熱収縮や熱変形などの歪みが生じにくく、長期に亙ってスナップ力を維持して脱落する恐れがないので、スナップ係止片と一体に成形されて連結ピンのベルト幅方向への片寄りを抑制している連結ピン制止片を有効に機能させて円滑な連結状態を維持するので、より一段と優れたベルト耐久性を実現することができる。
【図面の簡単な説明】
【図１】本発明の一実施例であるコンベヤベルトの組み立て図。
【図２】図１に示すコンベヤベルトを要部拡大図。
【図３】図１に示すコンベヤベルトを一部拡大した裏面図。
【図４】図３のＸ−Ｘ線で矢視した縦断面図。
【図５】従来のコンベヤベルトの平面図。
【図６】図５に示すコンベヤベルトのモジュールリンクを拡大した裏面図。
【図７】（Ａ）は、図５に示すコンベヤベルトにおける連結ピン端挿通阻止薄片をスリット状装入溝に装着した側面図、（Ｂ）は、図６の側面図、（Ｃ）は、連結ピン端挿通阻止薄片を装着したモジュールのスリット状装入溝の縦断面図。
【符号の説明】
１００    ・・・  コンベヤベルト
１１０    ・・・  モジュールリンク
１１１    ・・・  ボス部
１１１ａ  ・・・  連結ピン挿通孔
１１２    ・・・  スリット状装入溝
１１２ａ  ・・・  ピン対向溝部
１１２ｂ  ・・・  係止用溝部
１１３    ・・・  縦リブ
１１４    ・・・  横リブ
１１５    ・・・  噛み合い凹部
１２０    ・・・  連結ピン
１３０    ・・・  ピン抜け止めアタッチメント
１３１    ・・・  スナップ係止片
１３１ａ  ・・・  スナップ腕部
１３１ｂ  ・・・  凹欠部
１３２    ・・・  連結ピン制止片
【図１】
2004262600.tif 000003
【図２】
2004262600.tif 000004
【図３】
2004262600.tif 000005
【図４】
2004262600.tif 000006
【図５】
2004262600.tif 000007
【図６】
2004262600.tif 000008
【図７】
2004262600.tif 000009